(57)【要約】【課題】Ｇ．６５２規格の推奨から逸脱しない、９０μｍ２を超える拡大された実効断面積を有する伝送ファイバを提供すること。【解決手段】シングルモード光ファイバは、中心コアｒ１、Δｎ１と、中間クラッドｒ２、Δｎ２と、リングｒ３、Δｎ３と、外側クラッドとを備える。ファイバは、１５５０ｎｍの波長において９０μｍ２以上の実効断面積を有する。ファイバはまた、１２６０ｎｍ未満のケーブルカットオフ波長λｃｃと、１３１０ｎｍの波長において８．６μｍと９．５μｍの間に含まれるモードフィールド径と、１３００ｎｍと１３２４ｎｍの間に含まれるゼロ波長分散の波長と、０．０９２ｐｓ／ｎｍ２−ｋｍ未満の分散勾配とを有する。  ファイバは、ＳＳＭＦと比較してファイバの他の光パラメータを劣化させることなく、９０μｍ２を超える実効断面積を有する。【選択図】図１
2010176122.tif 000002
【特許請求の範囲】
【請求項１】
半径（ｒ１）および外側光クラッドに対して正の屈折率差（Δｎ１）を有する中心コアと、
半径（ｒ２）および外側光クラッドに対して屈折率差（Δｎ２）を有する中間クラッドと、
半径（ｒ３）および外側光クラッドに対して正の屈折率差（Δｎ３）を有するリングと
を備え、
１２６０ｎｍ未満のケーブルカットオフ波長（λｃｃ）と、
１３１０ｎｍの波長において８．６μｍと９．５μｍの間に含まれるモードフィールド径（ＭＤＦ）と、
１３００ｎｍと１３２４ｎｍの間に含まれるゼロ波長分散波長（Ｘｏ）と、
ゼロ波長分散波長（Ｘｏ）において０．０９２ｐｓ／ｎｍ２−ｋｍ未満の波長分散勾配と
のもとで、１５５０ｎｍの波長において９０μｍ２以上の実効断面積を有する、シングルモード光ファイバ。
【請求項２】
中心コアが４．５μｍと６μｍの間に含まれる半径（ｒ１）を有する、請求項１に記載の光ファイバ。
【請求項３】
中心コアが４．２×１０−３と５．２×１０−３の間に含まれる、外側光クラッドに対する屈折率差（Δｎ１）を有する、請求項１または２に記載の光ファイバ。
【請求項４】
中間クラッドが６．５μｍと９．５μｍの間に含まれる半径（ｒ２）を有する、請求項１から３のいずれか一項に記載の光ファイバ。
【請求項５】
リングが９．５μｍと１２．５μｍの間に含まれる半径（ｒ３）を有する、請求項１から４のいずれか一項に記載の光ファイバ。
【請求項６】
リングが１×１０−３と５．０×１０−３の間に含まれる、外側光クラッドに対する屈折率差（Δｎ３）を有する、請求項１から５のいずれか一項に記載の光ファイバ。
【請求項７】
中間クラッドが−３．０×１０−３と１．０×１０−３の間に含まれる、外側光クラッドに対する屈折率差（Δｎ２）を有する、請求項１から６のいずれか一項に記載の光ファイバ。
【請求項８】
リングの外に、外側光クラッドに対して負の屈折率差（Δｎ４）を有するディプレストクラッド（ｒ４、Δｎ４）を備える、請求項１から７のいずれか一項に記載の光ファイバ。
【請求項９】
ディプレストクラッドが１４μｍと１７μｍの間に含まれる半径（ｒ４）を有する、請求項８に記載の光ファイバ。
【請求項１０】
ディプレストクラッドが−１０×１０−３と−１×１０−３の間に含まれる、外側光クラッドに対する屈折率差（Δｎ４）を有する、請求項８または９に記載の光ファイバ。
【請求項１１】
１．２７０以上の、モードフィールド径（ＭＦＤ）に対する実効断面積の正規化された比を有することを特徴とする、請求項１から１０のいずれか一項に記載の光ファイバ。
【請求項１２】
９０μｍ２を超える実効断面積を有することを特徴とする、請求項１から１１のいずれか一項に記載の光ファイバ。
【請求項１３】
１００μｍ２未満の実効断面積を有することを特徴とする、請求項１から１２のいずれか一項に記載の光ファイバ。
【請求項１４】
１６２５ｎｍの波長に対して、曲率半径３０ｍｍにおいて０．０５ｄＢ／１００ｔｕｒｎｓ以下のベンディング損を有することを特徴とする、請求項１から１３のいずれか一項に記載の光ファイバ。
【請求項１５】
１５５０ｎｍの波長に対して、同等の制約条件を受ける標準シングルモードファイバ（ＳＳＭＦ）のマイクロベンディング損に対するファイバのマイクロベンディング損の比が１．５以下であるようなマイクロベンディング損を有することを特徴とする、請求項１から１４のいずれか一項に記載の光ファイバ。
【発明の詳細な説明】
【技術分野】
【０００１】
本発明は光ファイバ伝送の分野に関し、より詳細には拡大された実効断面積を有するラインファイバ（ｌｉｎｅ  ｆｉｂｒｅ）に関する。
【背景技術】
【０００２】
光ファイバに関して、屈折率プロファイル（ｉｎｄｅｘ  ｐｒｏｆｉｌｅ）は、一般に、屈折率をファイバ半径と関連づける関数のグラフの外観により分類される。標準的には、ファイバの中心までの距離ｒは、ｘ軸上に示される。ｙ軸上には、（半径ｒにおける）屈折率とファイバクラッドの屈折率の間の差が示される。したがって、用語「ステップ」、「不等辺四辺形」、「アルファ」、または「三角形」の屈折率プロファイルは、ステップ、不等辺四辺形、アルファ、または三角形の形状の曲線を有するグラフを記述するために使用される。これらの曲線は、全体的に、ファイバの理論的な、または設定されたプロファイルを表しているが、ファイバの製造上の制約が、わずかに異なるプロファイルを結果としてもたらす可能性がある。
【０００３】
標準的には、光ファイバは、光信号を伝送し、任意選択で増幅する機能の光コアと、光信号をコア内に閉じ込める機能の光クラッドとから構成される。この目的のために、コアの屈折率ｎｃおよびクラッドの屈折率ｎｇは、ｎｃ＞ｎｇのようになる。よく知られているように、シングルモード光ファイバの中の光信号の伝播は、コアの中で誘導される基本モードと、コア−クラッドアッセンブリの中をある距離にわたって誘導される、クラッドモード（ｃｌａｄｄｉｎｇ  ｍｏｄｅｓ）と呼ばれる２次モードとに分類されうる。
【０００４】
標準的には、ＳＭＦ（「シングルモードファイバ」）とも呼ばれるステップインデックスファイバは、光ファイバ伝送システム用のラインファイバとして使用される。これらのファイバは、特定の通信規格ならびに規格化されたカットオフ波長および実効断面積の値に適合する波長分散および波長分散勾配を有する。
【０００５】
異なる製造会社からの光システム間の互換性に対するニーズに応えて、国際電気通信連合（ＩＴＵ）は、ＳＳＭＦ（標準シングルモードファイバ）と呼ばれる標準光伝送ファイバが適合しなければならない、参考資料（ｒｅｆｅｒｅｎｃｅ）ＩＴＵ−Ｔ  Ｇ．６５２という規格を制定した。
【０００６】
中でも、Ｇ．６５２規格は、伝送ファイバに対して、波長１３１０ｎｍにおけるモードフィールド径（ＭＦＤ）に対して８．６−９．５μｍ［８．６；９．５μｍ］の範囲、ケーブルカットオフ波長の値に対して１２６０ｎｍの最大値、ゼロ分散波長（λ０で表示）の値に対して１３００−１３２４ｎｍ［１３００；１３２４ｎｍ］の範囲、波長分散勾配の値に対して０．０９２ｐｓ／ｎｍ２−ｋｍの最大値を推奨する。標準的には、ケーブルカットオフ波長は、国際電気標準会議の分科委員会８６ＡによりＩＥＣ  ６０７９３−１−４４規格の中で制定されたとおり、光信号が、ファイバを２２メートルに亘って伝播した後、もはやシングルモードでない波長として測定される。
【０００７】
それ自体が知られているとおり、伝送ファイバの実効断面積の増加は、ファイバ内の非線形効果の減少に寄与する。拡大された実効断面積を有する伝送ファイバは、より長い距離にわたる伝送および／または伝送システムの動作マージンの増加を可能にする。典型的には、ＳＳＭＦは、８０μｍ２程度の実効断面積Ａｅｆｆを有する。
【０００８】
伝送ファイバの実効断面積を増加させるために、ＳＳＭＦと比較して拡大され平らにされたコアを有するファイバ形状（ｐｒｏｆｉｌｅ）を作成することが提案された。しかし、ファイバのコアの形状におけるそのような変更は、マイクロベンディング損の増加につながり、また、ファイバにわたって、実効ケーブルカットオフ波長の増加につながる。標準的には、実効カットオフ波長は、ＩＥＣの分科委員会８６ＡによりＩＥＣ  ６０７９３−１−４４規格の中で制定されるとおり、光信号がファイバを２メートルにわたって伝播した後、その波長からシングルモードになる波長として測定される。
【０００９】
ＵＳ６６５８１９０は、１１０μｍ２を超える拡大された実効断面積を有する伝送ファイバを記載している。このファイバは、ＳＳＭＦのコアの１．５から２倍の非常に幅広いコア、および一定のクラッド、または浅いディプレストクラッドを持つ形態を有する。実効断面積の増加により引き起こされるマイクロベンディング損の増加を補償するために、この文献は、ファイバの直径を増加させることを提案する（図２９）。しかし、そのようなファイバの直径の増加は、コスト増を引き起こし、また他のファイバとの互換性がないためケーブル敷設上の問題をもたらす。さらに、この文献は、カットオフ波長が、検討中のファイバの長さと共に減少すること（図５）、および特に、このファイバが１ｋｍ伝送後にシングルモード特性を得ることを指摘している。しかし、そのようなカットオフ波長の測定値は、上述の規格化された測定値に適合しない。この文献で記載されるファイバは、１２６０ｎｍを超えるケーブルカットオフ波長および１３００ｎｍ未満のゼロ波長分散波長λ０を有する。それ故、この文献のファイバは、Ｇ．６５２規格の推奨に適合しない。
【００１０】
ＵＳ６６１４９７６は、ＮＺ−ＤＳＦファイバ（非ゼロ−分散シフトファイバ）の負の波長分散を補償するために波長１５５０ｎｍにおいて高い波長分散を有する伝送ファイバを記載している。この文献のファイバは、９０μｍ２以上の実効断面積を有する。しかし、所望の高い分散は、１２６０ｎｍ超のケーブルカットオフ波長および１３００ｎｍ未満の波長のゼロ分散波長λ０を結果としてもたらす。これらの特徴は、このファイバが規格Ｇ．６５２の推奨に適合しないことを意味する。
【００１１】
ＵＳ７１８７８３３は、８０μｍ２超の実効断面積を有する伝送ファイバを記載している。この文献のファイバは、中心コアと、中間クラッドと、ディプレストクラッドとを有する。そのようなプロファイルは、カットオフ波長を制御することを困難にする、ファイバ内の漏洩モードの出現を結果としてもたらす可能性がある。
【００１２】
知られている従来技術の文献はいずれも、Ｇ．６５２規格に完全に適合しながら、ＳＳＭＦと比較して拡大された実効断面積を有する光ファイバを記載していない。
【先行技術文献】
【特許文献】
【００１３】
【特許文献１】米国特許第６６５８１９０号明細書
【特許文献２】米国特許第６６１４９７６号明細書
【特許文献３】米国特許第７１８７８３３号明細書
【特許文献４】欧州特許出願公開第１０７６２５０号明細書
【特許文献５】欧州特許出願公開第１２５５１３８号明細書
【非特許文献】
【００１４】
【非特許文献１】ＩＴＵ：「ＵＩＴ−Ｔ  Ｇ．６５２  ＳＩＲＩＥ  Ｇ：ＳＹＳＴＥＭＥＳ  ＥＴ  ＳＵＰＰＯＲＴＳ  ＤＥ  ＴＲＡＮＳＭＩＳＳＩＯＮ，ＳＹＳＴＥＭＥＳ  ＥＴ  ＲＥＳＥＡＵＸ  ＮＵＭＥＲＩＱＵＥＳ」１  ｊｕｉｎ  ２００５，ＸＰ００７９０９７８３，ｐａｇｅ８−１１
【発明の概要】
【発明が解決しようとする課題】
【００１５】
それ故、Ｇ．６５２規格の推奨から逸脱することなく、９０μｍ２を超える拡大された実効断面積を有する伝送ファイバの必要性が存在する。
【課題を解決するための手段】
【００１６】
この目的のために、本発明は、Ｇ．６５２規格により課せられる他の伝送パラメータに悪影響を与えることなく、ファイバの実効断面積を拡大するために同時に最適化される、中心コア、中間クラッド、およびリングを備えるファイバ形状を提案する。
【００１７】
より詳細には、本発明は、中心コア、中間クラッド、リング、および外側クラッドを備え、
−  １２６０ｎｍ未満のケーブルカットオフ波長、
−  １３１０ｎｍの波長において８．６μｍと９．５μｍの間に含まれるモードフィールド径、
−  １３００ｎｍと１３２４ｎｍの間に含まれるゼロ波長分散波長、
−  ゼロ波長分散波長において０．０９２ｐｓ／ｎｍ２−ｋｍ未満の分散勾配
のもとで、１５５０ｎｍの波長において９０μｍ２以上の実効断面積を有する、シングルモード光ファイバを提案する。
【００１８】
実施形態によれば、本発明のファイバはまた、以下の特性：
−  コアが、４．５μｍと６μｍの間に含まれる半径と、４．２×１０−３と５．２×１０−３の間に含まれる外側クラッドに対する屈折率差とを有すること、
−  中間クラッドが、６．５μｍと９．５μｍの間に含まれる半径を有すること、
−  リングが、９．５μｍと１２．５μｍの間に含まれる半径を有すること、
−  リングが、１×１０−３と５．０×１０−３の間に含まれる、外側クラッドに対する屈折率差を有すること、
−  中間クラッドが、−３．０×１０−３と１．０×１０−３の間に含まれる、外側クラッドに対する屈折率差を有すること、
−  ファイバが、リングの外側にディプレストクラッドを選択的に有すること、
−  ディプレストクラッドが、１４μｍと１７μｍの間に含まれる半径と、−１０×１０−３と−１×１０−３の間に含まれる屈折率差とを有すること、
−  ファイバが、実効断面積とモードフィールド径との間に、１．２７０以上の規格化された比を有すること、
−  ファイバが、正確に９０μｍ２を超える実効断面積を有すること、
−  ファイバが、１００μｍ２未満の実効断面積を有すること、
−  １６２５ｎｍの波長に対して、ファイバが、３０ｍｍの曲率半径において０．０５ｄＢ／１００ｔｕｒｎｓ以下のベンディング損を有すること、
−  １５５０ｎｍの波長に対して、ファイバが、同等の制約条件を受ける標準シングルモードファイバのマイクロベンディング損に対するファイバのマイクロベンディング損の比が１．５以下であるようなマイクロベンディング損を有すること、
のうちの１つまたは複数を含むことができる。
【００１９】
本発明の他の特性および利点は、例で与えられた本発明の実施形態の以下の説明を、添付の図面を参照して読めば、明らかになるであろう。
【図面の簡単な説明】
【００２０】
【図１】本発明の第１の実施形態による、設定されたファイバのプロファイルを示す図表である。
【図２】本発明の第２の実施形態による、設定されたファイバのプロファイルを示す図表である。
【発明を実施するための形態】
【００２１】
本発明のファイバは、設定されたプロファイル、すなわちファイバの理論的プロファイルを表す図１および図２を参照して説明されるが、ファイバは、実際には、プリフォームのファイバ引き抜きの後に得られ、わずかに異なるプロファイルを有する可能性がある。
【００２２】
第１の実施形態（図１）によれば、本発明による伝送ファイバは、外側クラッド（光クラッドとして働く）に対して屈折率差Δｎ１を有する中心コアと、外側クラッドに対して屈折率差Δｎ２を有する中間内部クラッドと、外側クラッドに対して正の屈折率差Δｎ３を有するリングとを備える。中心コアの中、中間クラッドの中、およびディプレストクラッドの中の屈折率は、それらの幅全体にわたって実質的に一定である。コアの幅はその半径ｒ１により確定され、中間クラッドの幅はｒ２−ｒ１（ｒ２マイナスｒ１）により確定され、リングの幅はｒ３−ｒ２（ｒ３マイナスｒ２）により確定される。中間クラッド（ｒ２、Δｎ２）は中心コア（ｒ１、Δｎ１）を直接取り囲み、リング（ｒ３、Δｎ３）は中間クラッド（ｒ２、Δｎ２）を直接取り囲む。一般に、中心コア、中間クラッド、およびリングはシリカチューブの中でＣＶＤタイプの蒸着により得られ、外側クラッドは天然シリカまたはドープシリカを一般に使用するチューブをリフィリングすることにより構成されるが、任意の他の蒸着技術（ＶＡＤまたはＯＶＤ）によっても得られうる。
【００２３】
第２の実施形態（図２）によれば、本発明による伝送ファイバはまた、リング（ｒ３、Δｎ３）のすぐ外に、外側クラッドに対して負の屈折率差Δｎ４を有し、外側半径ｒ４を有するディプレストクラッドを備える。ディプレストクラッドの幅は、ｒ４−ｒ３（ｒ４マイナスｒ３）により確定される。
【００２４】
本発明によるファイバにおいて、中心コアは、４．５μｍと６μｍの間に含まれる半径ｒ１と、（例えば、シリカで作られる）外側光クラッドと比べて好ましくは４．２×１０−３と５．２×１０−３の間に含まれる屈折率差Δｎ１とを有する。本発明によるファイバのコアは、それ故、ＳＳＭＦにおけるものよりわずかに大きく、より平坦である。これらの特性は、１５５０ｎｍの波長に対して、実効断面積の値を、９０μｍ２を超えて増加させることを可能にする。本発明によるファイバの中間クラッドは、６．５μｍと９．５μｍの間に含まれる幅ｒ２を有する。このクラッドはまた、−３×１０−３と１．０×１０−３の間に含まれる、外側クラッドに対する屈折率差Δｎ２を有する。本発明によるファイバはまた、９．５μｍと１２．５μｍの間に含まれる半径ｒ３のリングを備える。このリングは、１．０×１０−３と５．０×１０−３の間に含まれる、外側クラッドに対する屈折率差Δｎ３を有する。コアおよび中間クラッドの寸法と共に最適化されたリングの寸法は、１５５０ｎｍにおいて９０μｍ２超の実効断面積を確保し、かつ分散特性およびカットオフ特性をＧ６５２規格により課せられる間隔の中に保持しながら、ファイバの光学的特性を制御すること、ならびに特に、１３１０ｎｍの波長に対して、モードフィールド径を８．６μｍと９．５μｍの間に含まれる値に保持することを可能にする。
【００２５】
本発明によるファイバは、さらに、１４μｍと１７μｍの間に含まれる半径ｒ４と、−１０×１０−３と−１×１０−３の間に含まれる屈折率差Δｎ４とを持つディプレストクラッドを有することができる。ディプレストクラッドの存在は、殆どの信号をファイバのコア内に閉じ込めることを可能にする。１７μｍに制限される外側半径ｒ４は、ファイバの生産コストを制限するために選択される。
【００２６】
下の表Ｉは、「ステップ」インデックスプロファイルを有する標準ＳＳＭＦファイバと比較した、本発明による伝送ファイバに対する可能な屈折率プロファイルの６つの例を与える。第１列は、各プロファイルに対する参照記号を与える。それに続く列は、各部分（ｒ１からｒ４）の半径の値を与え、その次の列は、外側クラッドに対する各部分の屈折率差の値（Δｎ１からΔｎ４）を示す。屈折率の値は、６３３ｎｍの波長において測定される。表Ｉからの例のファイバは、１２５μｍの外径を有する。表Ｉにおける値は、設定されたファイバのプロファイルに相当する。
【表１】
2010176122.tif 000003
【００２７】
下の表ＩＩは、表Ｉの屈折率プロファイルに対応する伝送ファイバに対してシミュレーションされた光学的特性を示す。表ＩＩにおいて、第１列は、表Ｉの参照記号を反復する。それに続く列は、各ファイバプロファイルに対して、ケーブルカットオフ波長（λｃｃ）、１３１０ｎｍの波長に対するモードフィールド径（２Ｗ０２）、１５５０ｎｍの波長における実効断面積（Ａｅｆｆ）、１５５０ｎｍにおける実効断面積と１３１０ｎｍにおけるモードフィールド径の間の正規化された関係、１５５０ｎｍの波長における波長分散（Ｄ）、および１５５０ｎｍの波長における波長分散の勾配（Ｐ）の値を提供する。それに続く列は、各ファイバプロファイルに対して、ゼロ波長分散波長（ＺＤＷ）、この波長における波長分散勾配（ＰＺＤＷ）、および曲率半径３０ｎｍに対する１６２５ｎｍの波長におけるベンディング損（ＰＣ）の値を提供する。
【表２】
2010176122.tif 000004
【００２８】
本発明による６つの例に対して、実効断面積Ａｅｆｆとモードフィールド径２Ｗ０２（式Ｉ参照）の間の正規化された比が、１．２７０以上であることが、表ＩＩから分かる。
【数１】
2010176122.tif 000005
【００２９】
このことは、８．６μｍと９．５μｍの間に含まれるモードフィールド径を保持しながら、９０μｍ２を超える実効断面積を得ることを可能にする。例１から例７が、Ｇ．６５２規格に適合することが、表ＩＩから分かる。ケーブルカットオフ波長λｃｃは１２６０ｎｍ未満であり、ゼロ波長分散波長ＺＤＷは１３００ｎｍと１３２４ｎｍの間に含まれ、波長分散勾配は０．０９２ｐｓ／ｎｍ２−ｋｍ未満である。一方、ベンディング損は、０．０５ｄＢ／１００ｔｕｒｎｓ以下であることが分かる。これらのベンディング損の値は、標準ステップインデックスプロファイルのＧ．６５２ファイバのベンディング損と同等である。それ故、本発明による伝送ファイバは、Ｇ．６５２規格の推奨に適合しながら大きな実効断面積を有する。
【００３０】
さらに、本発明によるファイバは、同等の制約条件を受けるＳＳＭＦにおけるマイクロベンディング損に対する本発明によるファイバのマイクロベンディング損の比が１．５以下であるようなマイクロベンディング損を有する。マイクロベンディング損は、例えば、固定直径ドラム法と名付けられた方法により測定されうる。この方法は、参考資料ＩＥＣ  ＴＲ−６２２２１のもとでＩＥＣ分科委員会の技術勧告の中に記載されている。
【００３１】
本発明によるファイバは、ＳＳＭＦと比較して増加された実効断面積値を有する。しかし、実効断面積は、１００μｍ２未満にとどまる。この制限は、Ｇ．６５２規格の一連の基準への適合を確保する。
【００３２】
本発明によるファイバのプロファイルは、大きな実効断面積のこれらの制約条件ならびにＧ．６５２規格に準拠する光パラメータに適合するために最適化される。表Ｉおよび表ＩＩは、大きい実効断面積およびＧ．６５２規格の制約条件への適合を確実にするための、上記の半径および屈折率の制限値を示す。特に、コアの半径ｒ１が４．５μｍ未満に小さくなり、Δｎ１が５．５を超えて大きくなれば、実効断面積は９０μｍ２未満になるであろう。ｒ１が６μｍを超えて大きくなれば、モードフィールド径２Ｗ０２、ケーブルカットオフ波長λｃｃ、およびゼロ波長分散波長ＺＤＷは、Ｇ．６５２規格を外れる値を有する。同様に、ｒ２があまりに小さいと、モードフィールド径２Ｗ０２は、Ｇ．６５２規格により課せられる最大値９．５μｍより大きくなり、また、ｒ２があまりに大きくなると、実効断面積は９０μｍ２より小さくなるであろう。さらに、ｒ３があまりに小さくなると、実効断面積は９０μｍ２より小さくなり、また、ｒ３があまりに大きくなると、モードフィールド径２Ｗ０２ならびにケーブルカットオフ波長λｃｃの値は、Ｇ．６５２規格により課せられる最大値９．５μｍより大きくなる。
【００３３】
本発明による伝送ファイバは、特に、Ｃバンド長距離伝送システムに適する。ファイバの他の光パラメータに顕著な劣化を与えることなく実効断面積を増加させることは、非線形効果を増加させることなく伝送された光信号の出力を増加させることを可能にし、それにより伝送ラインの信号対雑音比が改善され、このことは、陸上または水中の長距離光伝送システムにおいて特に求められている。
【００３４】
さらに、本発明によるファイバは、規格ＩＴＵ  Ｇ．６５２の推奨に適合する。本発明によるファイバは、したがって、システムの他のファイバと良好な互換性を有する多くの伝送システムにおいて設置されうる。
【符号の説明】
【００３５】
ＭＦＤ  モードフィールド径
λ０  ゼロ分散波長
Ａｅｆｆ  実効断面積
Δｎ１  中心コアと外側クラッドとの屈折率差
Δｎ２  中間クラッドと外側クラッドとの屈折率差
Δｎ３  リングと外側クラッドとの屈折率差
Δｎ４  ディプレストクラッドと外側クラッドとの屈折率差
ｒ１  コアの半径
ｒ２  中間クラッドの半径
ｒ３  リングの半径
ｒ４  ディプレストクラッドの半径
λｃｃ  ケーブルカットオフ波長
２Ｗ０２  モードフィールド径
Ｄ  波長分散
Ｐ  波長分散の勾配
ＺＤＷ、Ｘｏ  ゼロ波長分散波長
ＰＺＤＷ  ゼロ波長分散波長における波長分散勾配
ＰＣ  ベンディング損
【図１】
2010176122.tif 000006
【図２】
2010176122.tif 000007
【外国語明細書】
2010176122.tif 000008
2010176122.tif 000009
2010176122.tif 000010
2010176122.tif 000011
2010176122.tif 000012
2010176122.tif 000013
2010176122.tif 000014
2010176122.tif 000015
2010176122.tif 000016
2010176122.tif 000017
2010176122.tif 000018
2010176122.tif 000019
2010176122.tif 000020
2010176122.tif 000021